(57)【要約】【課題】安価で携行性に優れ、使い勝手もよい愛玩動物用の組立式糞取り具を提供する。【解決手段】樹脂プレートや板紙を加工して、先端側の幅を広げた底壁２と、その底壁の両側部に折り目線３を介して連設した側壁４と、左右の側壁の上端を互いに連結する連結手段（図のそれは舌片５とスリット６）とを設け、側壁４の各々に折り目線３に沿って前縁部から途中まで延びる第一切れ目線７とその切れ目線と並行する第二切れ目線８によって画される挟持片９を形成し、これを組み立て、内側に反転させたビニール袋をセットして使用するようにした。【選択図】  図１
2004159503.tif 000002
【特許請求の範囲】
【請求項１】
先端側に向かって次第に幅を広げた底壁と、その底壁の両側部にそれぞれ折り目線を介して連設した側壁と、左右の側壁の上端を互いに連結する連結手段とを有し、側壁の各々に前記折り目線に沿って前縁部から途中まで延びる第一切れ目線とその第一切れ目線と並行する第二切れ目線が設けられて両切れ目線間の側壁が底壁ですくった糞を挟む挟持片として形成されている愛玩動物用組立式糞取り具。
【請求項２】
先端側に向かって次第に幅を広げた底壁と、その底壁の両側部にそれぞれ折り目線を介して連設した側壁と、左右の側壁の上端を互いに連結する連結手段とを有し、さらに、側壁の上端から左右の側壁の前方に延びだす下向きに屈曲可能な糞の掻き入れ具を有している愛玩動物用組立式糞取り具。
【請求項３】
全体が一枚の樹脂プレートで形成されている請求項１又は２記載の愛玩動物用組立式糞取り具。
【請求項４】
全体が板紙で形成されている請求項１又は２記載の愛玩動物用組立式糞取り具。
【請求項５】
壁の後部に糞収納袋の後部を挟み込むスリットを設けた請求項１乃至４の何れかに記載の愛玩動物用組立式糞取り具。
【発明の詳細な説明】
【０００１】
【発明の属する技術分野】
この発明は、愛玩動物用の組立式の糞取り具に関する。
【０００２】
【従来の技術】
犬の散歩などに携行する糞取り具は、グリップのついた柄の先端にレバー操作で開閉するバケットを設けたものや組立式のスコップなど種々のものが考案されている。中には、犬などが排泄した糞の回収袋を反転させて予めセットしておくものもある。
【０００３】
【発明が解決しようとする課題】
従来の糞取り具は、複数のパーツを組み合わせたものが多い。その糞取り具は、射出成形したパーツを使用しており、構造も複雑で比較的高価であり、汚れたときに使い捨てするのには向いていない。また、嵩張るため携行性も決して良いとは言えず、特に遠出するときの携行品としては適性に欠ける。
【０００４】
組立式のスコップはその問題は少ないが、糞を単にすくい取って袋に移し換えるので使い勝手があまり良くない。また、汚れたスコップの洗浄などを必要とし、後処理に手間取る。
【０００５】
そこで、この発明は、構造が単純で安価で携行性や使い勝手にも優れる愛玩動物用の組立式糞取り具を提供することを課題としている。
【０００６】
【課題を解決するための手段】
上記の課題を解決するため、この発明においては、先端側に向かって次第に幅を広げた底壁と、その底壁の両側部にそれぞれ折り目線を介して連設した側壁と、左右の側壁の上端を互いに連結する連結手段とを有し、側壁の各々に前記折り目線に沿って前縁部から途中まで延びる第一切れ目線とその第一切れ目線と並行する第二切れ目線が設けられて両切れ目線間の側壁が底壁ですくった糞を挟む挟持片として形成されている愛玩動物用組立式糞取り具を提供する。
【０００７】
また、先端側に向かって次第に幅を広げた底壁と、その底壁の両側部にそれぞれ折り目線を介して連設した側壁と、左右の側壁の上端を互いに連結する連結手段とを有し、さらに、側壁の上端から左右の側壁の前方に延びだす下向きに屈曲可能な糞の掻き入れ具を有している愛玩動物用組立式糞取り具も合わせて提供する。
【０００８】
これらの糞取り具は、全体を一枚の樹脂プレートや好ましくは表面を樹脂フィルムで覆った一枚の板紙で形成すると好ましい。
【０００９】
また、壁の後部に糞を収納する袋の後部を挟み込むスリットを設けるのも好ましい。
【００１０】
なお、同一糞取り具に前記挟持片と掻き入れ具を併設してもよい。
【００１１】
【作用】
この発明の糞取り具は、左右の側壁を起こし、正面視で三角形をなす形に組み立てる。そして、糞回収用のビニール袋（手提げ式の袋が好ましい）を入口側が前となる向きにして糞取り具の前方から内部に挿入し、袋の入口部を底壁と側壁の前縁に沿って外側に反転させる。また、袋の後部を左右の側壁間の隙間や壁の後部に設けたスリットに挟み込んで抜止めする。手提げ式の袋を使用すればこの状態で反転させた手提げ部を手で掴んで糞取り具を持ち運びすることができる。手提げ部の無い袋を使用する際も、反転させた袋の入口部を掴んで糞取り具を持ち運ぶことができる。
【００１２】
これらの糞取り具は、底壁をスクレーパにして犬等が排泄した糞をすくい、側壁に形成された挟持片や側壁の上部から前方に延び出させた掻き入れ具でその糞を内部にかきいれる。この時、ビニール袋が内部セットされているので糞取り具に対する糞の付着は起こらず、使用後の洗浄が不要で使い勝手がよい。
【００１３】
この糞取り具は、一枚のプレートや台紙で形成することができ、製作し易く、コストもあまりかからない。従って、安価に提供できる。特に、板紙を素材としたものは、樹脂プレートを素材としたものに比べると耐久性に劣るがコスト低減の効果が顕著で使い捨てしても惜しくない。
【００１４】
また、小さくて軽く、携行性に優れるほか、展開状態では、平板となるので積層することができ、保管、取り扱いもし易い。
【００１５】
【発明の実施の形態】
以下、この発明の実施形態を添付図に基づいて説明する。図１及び図２に示すように、この糞取り具１は、全体が一枚の薄い樹脂プレートで形成される。素材プレートに、先端側が広幅になる逆さ台形状の底壁２と、その底壁の両側部にそれぞれ折り目線３を介して連設した側壁４を設け、さらに、各側壁４の上端部に側壁相互の連結手段となす舌片５とその舌片を差し込むスリット６を対応させて設けている。また、各側壁４に、折り目線３に沿って側壁の前縁から途中まで延びだす切れ目線７を設け、さらに、その切れ目線７に並行する切れ目線８を切れ目線７から一定距離離れた位置に設けて上下の切れ目線７、８間に左右一対の挟持片９を生じさせている。
【００１６】
切れ目線７は、折り目線３に近接した位置にある。また、切れ目線８は切れ目線７から５ｃｍ程度離れた位置にある。
【００１７】
なお、連結手段は例示のものに限定されない。例えば、図３に示すように、一方の側壁４に折り目線１０を介して連結片１１を連設し、その連結片１１の先端に形成したフック１２を他方の側壁に形成したスリット１３に差し込んで係止させるものなどでもよい。上壁となる幅の狭い連結片１１を加えると組み立て後の糞取り具の強度が増し、挟持片９の操作がし易い。
【００１８】
また、ここでは、素材プレートとして、厚みが１ｍｍ弱のポリプロピレンを用いたが、材料は適度の厚みをもつ板紙でも構わない。板紙は表面を樹脂フイルムで覆ったものが耐水性があって好ましい。
【００１９】
さらに、底壁２や側壁４の後縁には後述するビニール袋を係止させるスリット１４を設けておくことができる。
【００２０】
図２は、図１の糞取り具を組み立てた状態を示している。図４に示すように、組立後の糞取り具１にビニール袋Ａを挿入する。このとき、ビニール袋Ａは入口側を前に向けて糞取り具の前部から内側に差し込み、その袋の後部を左右の側壁の後部上端間に生じる隙間や前述のスリット１４に入り込ませて係止させる。その後、図５に示すように、袋Ａの入口側を底壁２と側壁４の前縁に沿って外側に反転させる。これでセットが完了する。
【００２１】
この状態で、犬などの散歩に携行する。手提げ式の袋を使用すれば、その袋を手に提げて糞取り具を手軽に持ち歩くことができ、都合がよい。
【００２２】
犬等が排泄した糞を回収するときには、左右の側壁４を上から片手で掴みスコップを使う要領で糞を底壁２ですくう。そして、左右の挟持片９を指で内側に押して弾性変形させ、すくった糞をその挟持片９で奥に掻きいれる。その後、反転させてある袋の入口側を元に戻し、袋を糞取り具から抜き取る。以上で、糞の回収が完了し、手や糞取り具を全く汚さずに済む。従って、洗浄無しで繰り返し使用することができる。
【００２３】
図６及び図７は、第２実施形態である。この糞取り具１Ａは、主体部が一枚の薄い樹脂プレートで形成される。素材プレートに、先端側が広幅になる逆さ台形状の底壁２と、その底壁の両側部にそれぞれ折り目線３を介して連設した側壁４を設けている。さらに、各側壁４には、折り目線１５を介して相互折り重ね部１６、１７をそれぞれ連設し、片方の側壁４に連なる相互折り重ね部１６と他方の側壁４に側壁相互の連結手段となす舌片５とその舌片を差し込むスリット６を対応させて設けている。また、片方の側壁４の上部前縁と相互折り重ね部１６の前縁から前方に向けて延びだす屈曲可能な平面視Ｔ字状の掻き入れ具１８を連設している。掻き入れ具１８の広幅にした先端は、折り目線１９の位置で折り曲げ可能となし、さらに、この掻き入れ具１８と、これを連設した側の側壁４との間に掻き入れ具１８の屈曲を容易化するための切込み２０を設けている。
【００２４】
このほか、各側壁４には、折り目線３と並行する折り目線２１を設けているが、これは必須の要素ではない。また、側壁相互の連結手段として、各側壁に設けた孔に係止させるスナップボタン２２を設けているが、これも必須ではない。
【００２５】
この糞取り具１Ａは、底壁２ですくった糞を図１の糞取り具１の挟持片９に変えて設けた掻き入れ具１８で予めセットしたビニール袋に掻き入れる。その他の使用法は図１のものとたいして変わらない。この糞取り具１Ａも板紙で作れる。
【００２６】
なお、板紙製の糞取り具は、特に安価で使い捨てしても経済負担はさほど大きくならない。
【００２７】
【発明の効果】
以上述べたように、この発明の糞取り具は、一枚のプレートで形成でき、構造が単純で安価に提供できる。また、小さくて軽くて携行性に優れ、かつ、展開状態では嵩張らず、保管、取り扱い等もし易い。
【００２８】
さらに、側壁に挟持片を形成するか、または、挟持片に変わる屈曲可能な掻き入れ具を設けているので糞の回収がし易く、また、ビニール袋を反転させてセットして使用するので使用後の洗浄も不要であり、使い勝手にも優れる。
【図面の簡単な説明】
【図１】実施形態の糞取り具の展開図
【図２】図１の糞取り具を組み立てた状態の斜視図
【図３】連結手段の他の例を示す図
【図４】ビニール袋を挿入した状態の斜視図
【図５】ビニール袋の入口側を反転させた状態の斜視図
【図６】他の実施形態の展開図
【図７】図６の糞取り具を組み立てた状態の斜視図
【符号の説明】
１、１Ａ  糞取り具
２  底壁
３、１０、１５、１９、２１  折り目線
４  側壁
５  舌片
６、１３、１４  スリット
７、８  切れ目線
９  挟持片
１１  連結片
１６、１７  相互折り重ね部
１８  掻き入れ具
２０  切込み
２２  スナップボタン
【図１】
2004159503.tif 000003
【図２】
2004159503.tif 000004
【図３】
2004159503.tif 000005
【図４】
2004159503.tif 000006
【図５】
2004159503.tif 000007
【図６】
2004159503.tif 000008
【図７】
2004159503.tif 000009